(57)【要約】【課題】通信相手先の電話番号毎に動作内容を自動制御することにより、ユーザの利便性を向上し得るテレビ電話機を得る。【解決手段】ＩＰテレビ電話機１は、通信相手先との通信時における動作内容を制御する制御部２と、制御部２に接続された記憶部１０とを備える。記憶部１０には、電話番号と、電話番号毎の動作内容とが登録されたリスト情報１１が記憶されている。リスト情報１１には、映像情報の送信の要否が、電話番号毎に登録されている。通信相手先の電話番号が映像情報の送信が必要な電話番号としてリスト情報１１に登録されている場合には、制御部２は通信相手先に対して映像情報を送信する。【選択図】図１
2010118983.tif 000002
【特許請求の範囲】
【請求項１】
通信相手先との通信時における動作内容を制御する制御部と、
前記制御部に接続された記憶部と
を備え、
前記記憶部には、電話番号と、電話番号毎の動作内容とが登録されたリスト情報が記憶されており、
前記リスト情報には、映像情報の送信の要否が、電話番号毎に登録されており、
通信相手先の電話番号が映像情報の送信が必要な電話番号として前記リスト情報に登録されている場合には、前記制御部は通信相手先に対して映像情報を送信する、テレビ電話機。
【請求項２】
送信可能な映像情報には、カメラによって撮影された映像情報、外部接続された機器から入力された映像情報、及び、記録手段に記録されている映像情報のうちの少なくとも一つが含まれ、
前記リスト情報には、送信する映像情報の種別が、電話番号毎にさらに登録されており、
前記制御部は、前記リスト情報に基づいて、通信相手先の電話番号に対応する種別の映像情報を送信する、請求項１に記載のテレビ電話機。
【請求項３】
前記リスト情報には、音声情報の送信の要否が、電話番号毎にさらに登録されており、
通信相手先の電話番号が音声情報の送信が必要な電話番号として前記リスト情報に登録されている場合には、前記制御部は通信相手先に対して音声情報を送信する、請求項１に記載のテレビ電話機。
【請求項４】
送信可能な音声情報には、マイクによって取得された音声情報、外部接続された機器から入力された音声情報、及び、記録手段に記録されている音声情報のうちの少なくとも一つが含まれ、
前記リスト情報には、送信する音声情報の種別が、電話番号毎にさらに登録されており、
前記制御部は、前記リスト情報に基づいて、通信相手先の電話番号に対応する種別の音声情報を送信する、請求項３に記載のテレビ電話機。
【発明の詳細な説明】
【技術分野】
【０００１】
本発明は、テレビ電話機に関し、特に、ＩＰテレビ電話機に関する。
【背景技術】
【０００２】
近年における常時接続ブロードバンド技術の進展に伴い、ＩＰ（Internet Protocol）テレビ電話が普及しつつある。ＩＰテレビ電話機では、内蔵のカメラによって撮影された映像情報、及び、内蔵のマイクによって取得された音声情報を、ＩＰネットワークを介して通信相手先に送信することが可能である。
【０００３】
なお、下記特許文献１には、ＩＰネットワークに接続されている配信サーバからＩＰテレビ電話のユーザに対して、予め設定された配信手順に従って、動画クリップ等のメディアをストリーミング映像として配信するＩＰテレビ電話サービスシステムが開示されている。
【０００４】
【特許文献１】特開２００５−３２８３９４号公報
【発明の開示】
【発明が解決しようとする課題】
【０００５】
上記の通り、ＩＰテレビ電話機では、カメラによって撮影された映像情報、及び、マイクによって取得された音声情報を、通信相手先に送信することが可能である。しかしながら、従来のＩＰテレビ電話機では、映像情報を送信するか否か、又は音声情報を送信するか否かは、発着信の度にユーザがスイッチ操作によって手動で設定する必要があったため、ユーザによる設定作業が煩雑であった。
【０００６】
本発明はかかる事情に鑑みて成されたものであり、通信相手先の電話番号毎に動作内容を自動制御することにより、ユーザの利便性を向上し得るテレビ電話機を得ることを目的とする。
【課題を解決するための手段】
【０００７】
本発明の第１の態様に係るテレビ電話機は、通信相手先との通信時における動作内容を制御する制御部と、前記制御部に接続された記憶部とを備え、前記記憶部には、電話番号と、電話番号毎の動作内容とが登録されたリスト情報が記憶されており、前記リスト情報には、映像情報の送信の要否が、電話番号毎に登録されており、通信相手先の電話番号が映像情報の送信が必要な電話番号として前記リスト情報に登録されている場合には、前記制御部は通信相手先に対して映像情報を送信することを特徴とするものである。
【０００８】
第１の態様に係るテレビ電話機によれば、記憶部には、電話番号と、電話番号毎の動作内容とが登録されたリスト情報が記憶されている。また、リスト情報には、映像情報の送信の要否が、電話番号毎に登録されている。そして、通信相手先の電話番号が映像情報の送信が必要な電話番号としてリスト情報に登録されている場合には、制御部は通信相手先に対して映像情報を自動的に送信する。従って、発着信の度にユーザがスイッチ操作によって映像情報の送信の要否を手動で設定する必要がないため、ユーザの利便性を向上することが可能となる。
【０００９】
本発明の第２の態様に係るテレビ電話機は、第１の態様に係るテレビ電話機において特に、送信可能な映像情報には、カメラによって撮影された映像情報、外部接続された機器から入力された映像情報、及び、記録手段に記録されている映像情報のうちの少なくとも一つが含まれ、前記リスト情報には、送信する映像情報の種別が、電話番号毎にさらに登録されており、前記制御部は、前記リスト情報に基づいて、通信相手先の電話番号に対応する種別の映像情報を送信することを特徴とするものである。
【００１０】
第２の態様に係るテレビ電話機によれば、内蔵のカメラによって撮影された映像情報のみならず、外部接続された機器から入力された映像情報、又は、記録手段に記録されている映像情報を選択して通信相手先に送信可能であるため、ユーザの利便性を向上することが可能となる。しかも、リスト情報には、送信する映像情報の種別が、電話番号毎に登録されている。そして、制御部は、リスト情報に基づいて、通信相手先の電話番号に対応する種別の映像情報を自動的に送信する。従って、発着信の度にユーザがスイッチ操作によって映像情報の種別を手動で設定する必要がないため、ユーザの利便性を向上することが可能となる。
【００１１】
本発明の第３の態様に係るテレビ電話機は、第１の態様に係るテレビ電話機において特に、前記リスト情報には、音声情報の送信の要否が、電話番号毎にさらに登録されており、通信相手先の電話番号が音声情報の送信が必要な電話番号として前記リスト情報に登録されている場合には、前記制御部は通信相手先に対して音声情報を送信することを特徴とするものである。
【００１２】
第３の態様に係るテレビ電話機によれば、リスト情報には、音声情報の送信の要否が、電話番号毎に登録されている。そして、通信相手先の電話番号が音声情報の送信が必要な電話番号としてリスト情報に登録されている場合には、制御部は通信相手先に対して音声情報を自動的に送信する。従って、発着信の度にユーザがスイッチ操作によって音声情報の送信の要否を手動で設定する必要がないため、ユーザの利便性を向上することが可能となる。
【００１３】
本発明の第４の態様に係るテレビ電話機は、第３の態様に係るテレビ電話機において特に、送信可能な音声情報には、マイクによって取得された音声情報、外部接続された機器から入力された音声情報、及び、記録手段に記録されている音声情報のうちの少なくとも一つが含まれ、前記リスト情報には、送信する音声情報の種別が、電話番号毎にさらに登録されており、前記制御部は、前記リスト情報に基づいて、通信相手先の電話番号に対応する種別の音声情報を送信することを特徴とするものである。
【００１４】
第４の態様に係るテレビ電話機によれば、内蔵のマイクによって取得された音声情報のみならず、外部接続された機器から入力された音声情報、又は、記録手段に記録されている音声情報を選択して通信相手先に送信可能であるため、ユーザの利便性を向上することが可能となる。しかも、リスト情報には、送信する音声情報の種別が、電話番号毎に登録されている。そして、制御部は、リスト情報に基づいて、通信相手先の電話番号に対応する種別の音声情報を自動的に送信する。従って、発着信の度にユーザがスイッチ操作によって音声情報の種別を手動で設定する必要がないため、ユーザの利便性を向上することが可能となる。
【発明の効果】
【００１５】
本発明によれば、通信相手先の電話番号毎に動作内容を自動制御することにより、ユーザの利便性を向上することが可能となる。
【発明を実施するための最良の形態】
【００１６】
以下、本発明の実施の形態について、図面を用いて詳細に説明する。なお、異なる図面において同一の符号を付した要素は、同一又は相応する要素を示すものとする。
【００１７】
図１は、本発明の実施の形態に係るＩＰテレビ電話機１の構成を示すブロック図である。図１に示すように、ＩＰテレビ電話機１は、制御部２、カメラ３、ビデオメモリ４、マイク５、オーディオメモリ６、ＬＣＤ７、スピーカ８、入力部９、及び記憶部１０を備えて構成されている。
【００１８】
画像情報取得手段としてのカメラ３は、ビデオエンコーダ２１を介して制御部２に接続されている。画像情報記録手段としてのビデオメモリ４は、ビデオエンコーダ２３を介して制御部２に接続されている。音声情報取得手段としてのマイク５は、オーディオエンコーダ２４を介して制御部２に接続されている。音声情報記録手段としてのオーディオメモリ６は、オーディオエンコーダ２６を介して制御部２に接続されている。画像情報出力手段としてのＬＣＤ７は、ビデオデコーダ２７を介して制御部２に接続されている。音声情報出力手段としてのスピーカ８は、オーディオデコーダ２８を介して制御部２に接続されている。設定情報入力手段としての入力部９は、制御部２に接続されている。入力部９は、ＩＰテレビ電話機１の本体に設けられた操作スイッチ、又は、本体と通信可能なリモコンである。
【００１９】
また、ＩＰテレビ電話機１は、ネットワークインタフェース３０及び外部インタフェース３１，３２を備えて構成されている。ＩＰテレビ電話機１の内部において、ネットワークインタフェース３０は、制御部２に接続されている。また、外部インタフェース３１は、ビデオエンコーダ２２を介して制御部２に接続されている。また、外部インタフェース３２は、オーディオエンコーダ２５を介して制御部２に接続されている。
【００２０】
ネットワークインタフェース３０は、ＩＰテレビ電話機１の外部のＩＰネットワーク５０に接続されている。また、外部インタフェース３１は、ＩＰテレビ電話機１に外部接続された外部機器４１に接続されている。また、外部インタフェース３２は、ＩＰテレビ電話機１に外部接続された外部機器４２に接続されている。外部機器４１は、カメラ又はビデオメモリ等である。外部機器４２は、マイク又はオーディオメモリ等である。
【００２１】
カメラ３によって撮影された映像情報Ｖ１は、ビデオエンコーダ２１によって符号化された後、制御部２に入力される。外部機器４１から外部インタフェース３１を介してＩＰテレビ電話機１に入力された映像情報Ｖ２は、ビデオエンコーダ２２によって符号化された後、制御部２に入力される。ビデオメモリ４から読み出された映像情報Ｖ３は、ビデオエンコーダ２３によって符号化された後、制御部２に入力される。映像情報Ｖ１〜Ｖ３は、制御部２によってパケット化及びプロトコル変換等の所定の処理が施された後、ネットワークインタフェース３０及びＩＰネットワーク５０をこの順に介して、通信相手先に送信される。
【００２２】
マイク５によって取得された音声情報Ａ１は、オーディオエンコーダ２４によって符号化された後、制御部２に入力される。外部機器４２から外部インタフェース３２を介してＩＰテレビ電話機１に入力された音声情報Ａ２は、オーディオエンコーダ２５によって符号化された後、制御部２に入力される。オーディオメモリ６から読み出された音声情報Ａ３は、オーディオエンコーダ２６によって符号化された後、制御部２に入力される。音声情報Ａ１〜Ａ３は、制御部２によってパケット化及びプロトコル変換等の所定の処理が施された後、ネットワークインタフェース３０及びＩＰネットワーク５０をこの順に介して、通信相手先に送信される。
【００２３】
通信相手先からＩＰネットワーク５０を介してＩＰテレビ電話機１に送られてきた映像情報は、制御部２によってプロトコル変換やデパケット化等の所定の処理が施された後、ビデオデコーダ２７によって復号化され、映像情報Ｖ４としてＬＣＤ７に入力される。これにより、通信相手先から送られてきた映像情報がＬＣＤ７の画面上に表示される。
【００２４】
同様に、通信相手先からＩＰネットワーク５０を介してＩＰテレビ電話機１に送られてきた音声情報は、制御部２によってプロトコル変換やデパケット化等の所定の処理が施された後、オーディオデコーダ２８によって復号化され、音声情報Ａ４としてスピーカ８に入力される。これにより、通信相手先から送られてきた音声情報がスピーカ８から出力される。
【００２５】
記憶部１０は、ハードディスク、ＤＶＤ、又は半導体メモリ等の任意の記憶媒体である。記憶部１０には、データテーブルとしてのリスト情報１１が記憶されている。
【００２６】
図２は、リスト情報１１の一例を示す図である。リスト情報１１は、項目１１Ｎ，１１Ｖ，１１Ｖ０，１１Ａ，１１Ａ０を有している。項目１１Ｎには、通信相手先の電話番号を登録可能である。図２に示した例では、４つの電話番号Ｎ１〜Ｎ４が登録されている。
【００２７】
項目１１Ｖには、ＩＰテレビ電話機１から通信相手先への映像情報の送信の要否を、項目１１Ｎの電話番号毎に個別に登録可能である。図２に示した例では、電話番号Ｎ１，Ｎ２，Ｎ４に対しては映像情報を送信する設定が登録されており、電話番号Ｎ３に対しては映像情報を送信しない設定が登録されている。
【００２８】
項目１１Ｖ０には、項目１１Ｖにおいて映像情報を送信する設定が登録されている電話番号に関して、送信する映像情報の種別を、項目１１Ｎの電話番号毎に個別に登録可能である。映像情報の種別としては、図１に示した映像情報Ｖ１，Ｖ２，Ｖ３のいずれか一つを登録可能である。図２に示した例では、電話番号Ｎ１に対しては映像情報Ｖ１が登録されており、電話番号Ｎ２に対しては映像情報Ｖ２が登録されており、電話番号Ｎ４に対しては映像情報Ｖ３が登録されている。
【００２９】
項目１１Ａには、ＩＰテレビ電話機１から通信相手先への音声情報の送信の要否を、項目１１Ｎの電話番号毎に個別に登録可能である。図２に示した例では、電話番号Ｎ１，Ｎ３，Ｎ４に対しては音声情報を送信する設定が登録されており、電話番号Ｎ２に対しては音声情報を送信しない設定が登録されている。
【００３０】
項目１１Ａ０には、項目１１Ａにおいて音声情報を送信する設定が登録されている電話番号に関して、送信する音声情報の種別を、項目１１Ｎの電話番号毎に個別に登録可能である。音声情報の種別としては、図１に示した音声情報Ａ１，Ａ２，Ａ３のいずれか一つを登録可能である。図２に示した例では、電話番号Ｎ１に対しては音声情報Ａ１が登録されており、電話番号Ｎ３に対しては音声情報Ａ３が登録されており、電話番号Ｎ４に対しては音声情報Ａ２が登録されている。
【００３１】
以下、図１，２を参照して、本実施の形態に係るＩＰテレビ電話機１の発着信時の動作について説明する。発着信時、制御部２は、通信相手先の電話番号を特定し、その電話番号がリスト情報１１の項目１１Ｎに登録されているか否かを判断する。
【００３２】
通信相手先の電話番号がリスト情報１１の項目１１Ｎに登録されている場合には、制御部２は、その電話番号に対応する各項目１１Ｖ，１１Ｖ０，１１Ａ，１１Ａ０の設定内容に従って、ＩＰテレビ電話機１の動作を制御する。例えば、通信相手先の電話番号が電話番号Ｎ１である場合には、制御部２は、カメラ３によって撮影された映像情報Ｖ１と、マイク５によって取得された音声情報Ａ１とを選択して、ＩＰテレビ電話機１から通信相手先に送信する。また、例えば、通信相手先の電話番号が電話番号Ｎ２である場合には、制御部２は、音声情報を送信せず、外部機器４１からＩＰテレビ電話機１に入力された映像情報Ｖ２を選択して、ＩＰテレビ電話機１から通信相手先に送信する。
【００３３】
なお、ユーザは、特定の電話番号に関する項目１１Ｖ，１１Ｖ０，１１Ａ，１１Ａ０の設定内容を変更したい場合には、入力部９によって、変更内容を含む変更要求信号を制御部２に入力することが可能である。変更要求信号を受けた制御部２は、項目１１Ｎの対応する電話番号に関して、項目１１Ｖ，１１Ｖ０，１１Ａ，１１Ａ０の設定内容を変更する。また、ユーザは、特定の電話番号をリスト情報１１から削除したい場合には、入力部９によって、削除要求信号を制御部２に入力することが可能である。削除要求信号を受けた制御部２は、対応する電話番号に関する項目１１Ｎ，項目１１Ｖ，１１Ｖ０，１１Ａ，１１Ａ０を、リスト情報１１から削除する。
【００３４】
一方、通信相手先の電話番号がリスト情報１１の項目１１Ｎに登録されていない場合には、制御部２は、デフォルトとして、映像情報を送信せず、マイク５によって取得された音声情報Ａ１を選択して、ＩＰテレビ電話機１から通信相手先に送信する。映像情報を送信したい場合には、ユーザは、入力部９によって、その旨及び送信したい映像情報の種別を制御部２に入力する。これを受けて制御部２は、指定された種別の映像情報を選択して、ＩＰテレビ電話機１から通信相手先に送信する。同様に、音声情報Ａ１ではなく音声情報Ａ２又は音声情報Ａ３を送信したい場合には、ユーザは、入力部９によって、送信したい音声情報の種別を制御部２に入力する。これを受けて制御部２は、指定された種別の音声情報を選択して、ＩＰテレビ電話機１から通信相手先に送信する。
【００３５】
なお、その未登録の電話番号をリスト情報１１に登録したい場合には、ユーザは、入力部９によって、新規登録要求信号を制御部２に入力することが可能である。新規登録要求信号を受けた制御部２は、その電話番号を新たにリスト情報１１の項目１１Ｎに登録する。その際、所望の動作内容を項目１１Ｖ，１１Ｖ０，１１Ａ，１１Ａ０に登録することも可能である。
【００３６】
例えば、ＩＰテレビ電話機１は、電話による商品の宅配注文を受け付け可能な飲食店に設置することができる。ある客からの初回の宅配注文である場合には、その客の電話番号はリスト情報１１に登録されていない。そのため、制御部２は、デフォルトとして、映像情報を送信せず、マイク５によって取得された音声情報Ａ１を選択して、ＩＰテレビ電話機１から通信相手先に送信する。つまり、飲食店のスタッフは、まずは通話のみによってその客に応対する。
【００３７】
その客がメニューの提示を求めた場合には、飲食店のスタッフは、入力部９によって、映像情報を送信したい旨及び送信したい映像情報の種別を、制御部２に入力する。例えば、映像情報Ｖ３を指定することにより、予めビデオメモリ４に格納しておいたメニューの画像を映像情報Ｖ３としてその客に送信することができる。あるいは、映像情報Ｖ２を指定することにより、予め外部機器４１に格納しておいたメニューの画像を映像情報Ｖ２として送信することができる。
【００３８】
飲食店のスタッフは、入力部９によって、その客の電話番号と、初回応対時の動作内容とをリスト情報１１に登録する。次回以降、その客から宅配注文を受けた場合には、リスト情報１１に登録されている動作内容に従って、メニューの画像が自動的に送信される。
【００３９】
本実施の形態に係るＩＰテレビ電話機１によれば、記憶部１０には、電話番号と、電話番号毎の動作内容とが登録されたリスト情報１１が記憶されている。そして、制御部２は、通信相手先の電話番号がリスト情報１１の項目１１Ｎに登録されている場合には、リスト情報１１に基づいてＩＰテレビ電話機１の動作内容を自動的に制御する。従って、発着信の度にユーザがスイッチ操作によって動作内容を手動で設定する必要がないため、ユーザの利便性を向上することが可能となる。
【００４０】
また、本実施の形態に係るＩＰテレビ電話機１によれば、リスト情報１１の項目１１Ｖには、映像情報の送信の要否が、電話番号毎に登録されている。そして、制御部２は、通信相手先の電話番号が、映像情報の送信が必要な電話番号としてリスト情報１１に登録されている場合には、通信相手先に対して映像情報を自動的に送信する。従って、発着信の度にユーザがスイッチ操作によって映像情報の送信の要否を手動で設定する必要がないため、ユーザの利便性を向上することが可能となる。
【００４１】
また、本実施の形態に係るＩＰテレビ電話機１によれば、内蔵のカメラ３によって撮影された映像情報Ｖ１のみならず、外部接続された外部機器４１から入力された映像情報Ｖ２、又は、ビデオメモリ４に記録されている映像情報Ｖ３を選択して通信相手先に送信可能であるため、ユーザの利便性を向上することが可能となる。しかも、リスト情報１１には、送信する映像情報の種別が、電話番号毎に登録されている。そして、制御部２は、リスト情報１１に基づいて、通信相手先の電話番号に対応する種別の映像情報を自動的に送信する。従って、発着信の度にユーザがスイッチ操作によって映像情報の種別を手動で設定する必要がないため、ユーザの利便性を向上することが可能となる。
【００４２】
また、本実施の形態に係るＩＰテレビ電話機１によれば、リスト情報１１の項目１１Ａには、音声情報の送信の要否が、電話番号毎に登録されている。そして、制御部２は、通信相手先の電話番号が、音声情報の送信が必要な電話番号としてリスト情報１１に登録されている場合には、通信相手先に対して音声情報を自動的に送信する。従って、発着信の度にユーザがスイッチ操作によって音声情報の送信の要否を手動で設定する必要がないため、ユーザの利便性を向上することが可能となる。
【００４３】
また、本実施の形態に係るＩＰテレビ電話機１によれば、内蔵のマイク５によって取得された音声情報Ａ１のみならず、外部接続された外部機器４２から入力された音声情報Ａ２、又は、オーディオメモリ６に記録されている音声情報Ａ３を選択して通信相手先に送信可能であるため、ユーザの利便性を向上することが可能となる。しかも、リスト情報１１には、送信する音声情報の種別が、電話番号毎に登録されている。そして、制御部２は、リスト情報１１に基づいて、通信相手先の電話番号に対応する種別の音声情報を自動的に送信する。従って、発着信の度にユーザがスイッチ操作によって音声情報の種別を手動で設定する必要がないため、ユーザの利便性を向上することが可能となる。
【００４４】
なお、今回開示された実施の形態はすべての点で例示であって制限的なものではないと考えられるべきである。本発明の範囲は、上記した意味ではなく、特許請求の範囲によって示され、特許請求の範囲と均等の意味及び範囲内での全ての変更が含まれることが意図される。
【図面の簡単な説明】
【００４５】
【図１】本発明の実施の形態に係るＩＰテレビ電話機の構成を示すブロック図である。
【図２】リスト情報の一例を示す図である。
【符号の説明】
【００４６】
１  ＩＰテレビ電話機
２  制御部
３  カメラ
４  ビデオメモリ
５  マイク
６  オーディオメモリ
１０  記憶部
１１  リスト情報
４１，４２  外部機器
【図１】
2010118983.tif 000003
【図２】
2010118983.tif 000004